【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
制御エンティティが、第１アクセスポイントによって生成されたリンク品質報告を受け取ることであって、ステーションが前記第１アクセスポイントに関連することと、
前記制御エンティティが、複数のアクセスポイントによって生成された環境品質報告を受け取ることと、
前記第１アクセスポイントからアラームを受け取った後に、前記制御エンティティが、ブラックリストに登録するため前記ステーションのメディアアクセスコントロールアドレスを示す第１メッセージを前記第１アクセスポイントに送信し、前記第１アクセスポイントに能動的に前記ステーションとの接続を切らせることと、
前記制御エンティティが、前記受け取られた環境品質報告に基づいて前記複数のアクセスポイントから選択されたターゲットアクセスポイントに、前記ターゲットアクセスポイントにおいてホワイトリストに登録するため前記ステーションの前記メディアアクセスコントロールアドレスを示す第２メッセージを送信することと
を有する方法。
【請求項２】
能動的に前記ステーションとの接続を切ることは、前記ステーションに、前記ターゲットアクセスポイントへ接続させることである、
請求項１に記載の方法。
【請求項３】
前記制御エンティティが、無線ローカルエリアネットワークシステムに新たに組み込まれた追加のアクセスポイントを検出することと、
前記制御エンティティが、少なくとも１つの新たに組み込まれた不適格なアクセスポイントに、ブラックリストに登録するため前記ステーションの前記メディアアクセスコントロールアドレスを示す第３メッセージを送信することと
を更に有する請求項１又は２に記載の方法。
【請求項４】
前記制御エンティティが、新しいターゲットアクセスポイントとして適格な少なくとも１つのアクセスポイントに第４メッセージを送信することを更に有し、前記第４メッセージは、ホワイトリストに登録し、前記少なくとも１つの新しいターゲットアクセスポイントへの前記ステーションの接続を有効にするため前記ステーションの前記メディアアクセスコントロールアドレスを示す
請求項１乃至３のうちいずれか一項に記載の方法。
【請求項５】
前記第１メッセージは、前記第１アクセスポイントに、
第１期間の間前記ブラックリストに前記ステーションの前記メディアアクセスコントロールを保持させ、
前記第１期間の経過後に前記ブラックリストから前記ステーションの前記メディアアクセスコントロールアドレスを削除させる請求項１乃至４のうちいずれか一項に記載の方法。
【請求項６】
前記ステーションが前記ターゲットアクセスポイントへ接続された後に、
前記第１アクセスポイント及び前記ターゲットアクセスポイントのうちの少なくとも１つから、前記制御エンティティがリンク品質報告を受け取ること
を更に有する、請求項１乃至５のうちいずれか一項に記載の方法。
【請求項７】
無線ローカルエリアネットワークシステムであって、
第１アクセスポイントと、
複数のアクセスポイントと、
前記第１アクセスポイントに関連するステーションと、
制御エンティティと
を有し、
前記制御エンティティは、
前記第１アクセスポイントからリンク品質報告を受け取り、
複数のアクセスポイントから環境品質報告を受け取り、
前記第１アクセスポイントからアラームを受け取った後に、ブラックリストに登録するため前記ステーションのメディアアクセスコントロールアドレスを示す第１メッセージを前記第１アクセスポイントに送信し、前記第１アクセスポイントに能動的に前記ステーションとの接続を切らせ、
前記受け取られた環境品質報告に基づいて前記複数のアクセスポイントから選択されたターゲットアクセスポイントに、前記ターゲットアクセスポイントにおいてホワイトリストに登録するため前記ステーションの前記メディアアクセスコントロールアドレスを示す第２メッセージを送信するように構成された、無線ローカルエリアネットワークシステム。
【請求項８】
プロセッサを含む装置であって、
前記プロセッサは、
ステーションが第１アクセスポイントに関連し、前記第１アクセスポイントによって生成されたリンク品質報告を取得し、
複数のアクセスポイントから環境品質報告を取得し、
前記第１アクセスポイントからアラームを取得した後に、ブラックリストに登録するためステーションのメディアアクセスコントロールアドレスを示す第１メッセージを前記第１アクセスポイントに送信し、前記第１アクセスポイントに能動的に前記ステーションとの接続を切らせ、
前記環境品質報告に基づいて前記複数のアクセスポイントから選択されたターゲットアクセスポイントに、前記ターゲットアクセスポイントにおいてホワイトリストに登録するため前記ステーションの前記メディアアクセスコントロールアドレスを示す第２メッセージを送信するように構成された、装置。
【請求項９】
前記第１メッセージは、前記第１アクセスポイントに、
第１期間の間、前記ステーションの前記メディアアクセスコントロールアドレスを前記ブラックリスト内に保持させ、
前記第１期間の経過後に前記ブラックリストから前記ステーションの前記メディアアクセスコントロールアドレスを削除させる、請求項８に記載の装置。
【請求項１０】
プロセッサを有するアクセスポイントであって、ステーションが前記アクセスポイントに関連し、前記プロセッサは、
リンク品質報告を生成し、
複数のアクセスポイントによって生成された環境品質報告を受け取り、
前記アクセスポイントにおいてアラームを検出した後に、前記ステーションのメディアアクセスコントロールアドレスをブラックリストに登録し、
能動的に前記ステーションとの接続を切り、
前記受け取られた環境品質報告に基づいて前記複数のアクセスポイントから選択されたターゲットアクセスポイントに、前記ターゲットアクセスポイントにおいてホワイトリストに登録するため前記ステーションの前記メディアアクセスコントールアドレスを示すメッセージを送信するように構成された、アクセスポイント。
【請求項１１】
プロセッサを有するアクセスポイントであって、ステーションが第１アクセスポイントに関連し、前記プロセッサは、
前記第１アクセスポイントによって生成されたリンク品質報告を受け取り、
環境品質報告を生成し、
前記第１アクセスポイントからアラームを取得した後に、前記第１アクセスポイントに、ブラックリストに登録するため前記ステーションのメディアアクセスコントロールアドレスを示すメッセージを送信し、前記第１アクセスポイントに能動的に前記ステーションとの接続を切らせ、
前記生成された環境品質報告に基づいて、前記アクセスポイントにおいて前記ステーションをホワイトリストに登録するように構成された、アクセスポイント。
【請求項１２】
前記プロセッサは、更に、無線ローカルエリアネットワークに新たに組み込まれた追加のアクセスポイントを検出し、少なくとも１つの新たに組み込まれたアクセスポイントに、ブラックリストに登録するため前記ステーションの前記メディアアクセスコントロールアドレスを示す第２メッセージを送信するように構成された、請求項１０又は１１に記載のアクセスポイント。
【請求項１３】
前記プロセッサは、更に、新しいターゲットアクセスポイントとして適格な少なくとも１つのアクセスポイントに第３メッセージを送信するように更に構成され、前記第３メッセージは、ホワイトリストに登録し、前記少なくとも１つの新しいターゲットアクセスポイントへの前記ステーションの接続を有効にするため前記ステーションのメディアアクセスコントロールアドレスを示す、請求項１０乃至１２のうちいずれか一項に記載のアクセスポイント。
【請求項１４】
前記メッセージは、前記第１アクセスポイントに、
第１期間の間、前記ステーションの前記メディアアクセスコントロールアドレスを前記ブラックリスト内に保持させ、
前記第１期間の経過後に前記ブラックリストから前記ステーションの前記メディアアクセスコントロールアドレスを削除させる、請求項１０乃至１３のうちいずれか一項に記載のアクセスポイント。